(57)【特許請求の範囲】
【請求項１】
軸断面内周が一端側に拡開する拡開部１を有する内面山形に形成され、他端側の外面に螺回工具嵌着部２を有し、前記一端側の軸直角断面の外周３が円形に形成された治具本体４と、
軸方向および周方向に夫々離間して前記治具本体４に、その外面から内面に貫通された一対の第１貫通孔５，第２貫通孔６と、
断面が夫々の前記第１貫通孔５，第２貫通孔６の断面に整合して半径方向に移動自在に装着され、その外周端が前記治具本体４の外周３に整合し、且つその外周端の整合状態で前記拡開部１内に突出する一対の第１爪７，第２爪８と、
前記治具本体４の外周３に整合する内周９を有し、その外周３に着脱自在に嵌着される保持体１０と、
を具備するナット螺回用の治具。
【請求項２】
請求項１において、夫々の前記第１貫通孔５，第２貫通孔６に治具本体４の軸線方向に平行に一対のピン11が貫通し、夫々のピン11が前記第１爪７，第２爪８の長孔12に遊嵌して、第１爪７，第２爪８が治具本体４の半径方向に移動自在に保持されたナット螺回用の治具。
【請求項３】
請求項１または請求項２の治具は、次のナットを螺回するもの。
外周１３が前記拡開部１に整合すると共に、その拡開部１の内面に突出した状態の前記第１爪７，第２爪８の突出部に整合する一対の第１スリット１４，第２スリット１５が前記外周１３に形成され、軸線上にネジ孔１６が設けられたもの。
【発明の詳細な説明】
【０００１】
【産業上の利用分野】
本発明は各種自動販売機やパーキングメーターの如く、屋外にスタッドボルトおよびナットを介して設置される機器の盗難防止用特殊ナットを螺回締結あるいはそれを取り外すためのナット螺回用の特殊な治具に関する。
【０００２】
【従来の技術】
屋外に設置される各種自動販売機やパーキングメーターは、それらを設置する基礎コンクリートにアンカーボルトを突設固定し、自動販売機等の機器のフランジをナットおよびアンカーボルトを介して基礎コンクリートに締結固定していた。
【０００３】
【発明が解決しようとする課題】
ところがこのようなナットは、通常広く使用されている工具であるスパナ等で簡単に取り外すことが可能である。その為、自動販売機等の機器自体が盗難に遭う場合があった。特に道路側に設置された機器においては、小型のクレーン車等でその自動販売機等を比較的短時間で持ち去ることができる。
そこで本発明者は、各種機器の設置用ナットで取り外すことができない盗難防止用の特殊ナットをすでに特願平６−３３０５５１号において提案した。
そして、本発明はその特殊ナットを締結および取り外す為の螺回用の治具を提供することを目的とし、その目的達成のために次の構成をとる。
【０００４】
【課題を解決するための手段】
本発明のナット螺回用の治具は、軸断面内周が一端側に拡開する拡開部１を有する内面山形に形成され、他端側の外面に螺回工具嵌着部２を有し、前記一端側の軸直角断面の外周３が円形に形成された治具本体４と、
軸方向および周方向に夫々離間して前記治具本体４に、その外面から内面に貫通された一対の第１貫通孔５，第２貫通孔６と、
断面が夫々の前記第１貫通孔５，第２貫通孔６の断面に整合して半径方向に移動自在に装着され、その外周端が前記治具本体４の外周３に整合し、且つその外周端の整合状態で前記拡開部１内に突出する一対の第１爪７，第２爪８と、
前記治具本体４の外周３に整合する内周９を有し、その外周３に着脱自在に嵌着される保持体１０と、
を具備するものである。
【０００５】
【発明の実施の形態】
次に、図面に基づいて本発明の実施の形態につき説明する。
図１は本発明の治具を一部破断して示した状態であると共に、その治具により特殊ナットを締結する際の説明図である。そして、図２は同締結状態を示す軸断面図であり、図３はその締結工程の準備段階を示す説明図であり、図４は次いで、螺回工具１７により本治具を螺回しているところを示す締結説明図である。
本発明の治具は、図１および図２に示す如く、外周が特殊形状をなすナット１８を締結固定するものである。このナット１８は、軸の断面外周がほぼ台形状で且つ、外周が回転曲面として形成されている。そして、その外周面の周方向および軸方向の互いに異なった位置に工具嵌着用の一対の第１スリット１４，第２スリット１５が形成され、軸線上にネジ孔１６が設けられたものである。
【０００６】
次にこのような特殊ナットを締結する本発明の治具は、その治具本体４の軸断面内周が山形に形成されて、その一端側開口に拡開部１を有する。この治具本体４の外周３はその他端側の直径が縮小する段付になされ、その縮小側の外周面が六角に形成され、そこにスパナ等の螺回工具嵌着部２が構成される。また、螺回工具嵌着部２を除く治具本体４の外周３は円周状に形成されている。さらに、前記拡開部１と治具本体４の外周３とを半径方向に貫通する一対の第１貫通孔５，第２貫通孔６が設けられ、それらが軸方向および周方向に互いに離間して配置されている。そして、夫々の第１貫通孔５，第２貫通孔６には一対の第１爪７，第２爪８が装着される。この第１爪７，第２爪８は第１貫通孔５，第２貫通孔６の断面に略整合する断面を有し、それらの外周端は治具本体４の外周３に整合する。そして、その外周端の整合状態で、拡開部１内に第１爪７，第２爪８の一部が突出する。そして、第１爪７，第２爪８は半径方向に移動自在に装着されている。
【０００７】
この例で第１爪７，第２爪８は外周端が夫々円弧状に形成され、その円弧長さは第１爪７よりも第２爪８の方が大である。また、第１爪７，第２爪８には長孔１２が厚み方向に貫通され、その長孔１２の長軸が半径方向に位置している。この長孔１２に整合する位置で、治具本体４には軸線方向に平行な第１貫通孔５，第２貫通孔６が設けられ、その夫々の貫通孔５，６にピン１１が圧入され、それが第２爪８および第１爪７の長孔１２に遊嵌する。ピン１１の直径は長孔１２の短径よりも僅かに小に形成されている。
次に治具本体４の外周には、保持体１０が着脱自在に嵌着される。保持体１０の内周９は治具本体４の外周３に整合する。この保持体１０は全体が筒状に形成され、その一端にフランジ２０が設けられている。
【０００８】
【使用方法】
図１の如く、基礎コンクリート２２上にはアンカー等を介してスタッドボルト１９が植設され、そのスタッドボルト１９に自動販売機等のフランジ２３のボルト挿通孔２１を嵌入する。次に、そのスタッドボルト１９にナット１８を指で螺回できる程度に螺着させる。次いで、図３に示す如くナット１８の外周１３に治具本体４の拡開部１を被嵌する。そして、一対の第１爪７，第２爪８を軽く中心側に指で押しながら、その治具本体４を軸線回りに回転させる。すると、ナット１８の第１スリット１４，第２スリット１５に第１爪７，第２爪８が嵌着され、両爪７，８は半径方向中心側に移動する。それに伴って、両第１爪７，第２爪８の外周端は治具本体４の外周３に整合する。そこで、治具本体４の外周３に保持体１０を被嵌する。それにより第１爪７，第２爪８は、半径方向外側に移動することができない。係る状態で、螺回工具嵌着部２に図４の如く、スパナ等の螺回工具１７の先端を嵌着し、その螺回工具１７を回転させる。すると、治具本体４の第１爪７，第２爪８を介してナット１８が回転し、それがスタッドボルト１９に締結固定される。
【０００９】
【変形例】
この例では治具本体４の他端側の外周面に六角の螺回工具嵌着部２を形成したが、その他端面自体に六角レンチ嵌着用の六角穴を形成してもよい。その場合には、治具本体４の他端面は閉塞される。
また、ナット１８の第１スリット１４，第２スリット１５は適宜な形状にすることが可能であり、それに応じた形状の第１爪７，第２爪８をその半径方向中心側の縁部に形成し、それらが整合するように構成すればよい。
【００１０】
【発明の作用・効果】
本発明のナット螺回用の治具は、治具本体４の内周が特殊形状を有し且つ、治具本体４の第１貫通孔５，第２貫通孔６に装着される一対の第１爪７，第２爪８が、治具本体４の軸線方向および半径方向に互いに離間して配置されているから、通常の工具で螺回することができない特殊なナットを螺回することができる。この特殊ナットは、その外周１３が治具本体４の内周の拡開部１に整合すると共に、その拡開部１の内面に突出する第１爪７，第２爪８の突出部に整合する一対の第１スリット１４，第２スリット１５が外周１３に形成されるものである。
そして、一例として屋外に配置される自動販売機やパーキングメーター等の金銭が収納された各種機器の盗難防止用の固定用ナットを確実に締結固定し、あるいはそれを取り外すことが可能となる。
この螺回に際し、一対の第１爪７，第２爪８をまずナット１８の第１スリット１４，第２スリット１５に嵌入する。そして治具本体４の外周に保持体１０を被嵌し、一対の第１爪７，第２爪８が半径方向外側に移動しないように保持する。次いで、治具本体４の螺回工具嵌着部２に螺回工具を嵌着し、それを回転させればよい。
【図面の簡単な説明】
【図１】本発明の治具を一部破断して示した状態であると共に、その治具により特殊ナットを締結する際の説明図。
【図２】同締結状態を示す軸断面図。
【図３】前記締結工程の準備段階を示す説明図。
【図４】螺回工具１７により本治具を螺回締結しているところを示す説明図。
【符号の説明】
１  拡開部
２  螺回工具嵌着部
３  外周
４  治具本体
５  第１貫通孔
６  第２貫通孔
７  第１爪
８  第２爪
９  内周
１０  保持体
１１  ピン
１２  長孔
１３  外周
１４  第１スリット
１５  第２スリット
１６  ネジ孔
１７  螺回工具
１８  ナット
１９  スタッドボルト
２０  フランジ
２１  ボルト挿通孔
２２  基礎コンクリート
２３    フランジ
【図１】
0003613721.tif 000002
【図２】
0003613721.tif 000003
【図３】
0003613721.tif 000004
【図４】
0003613721.tif 000005